(57)【要約】  【課題】  自重（体重）下による常時接触作用で皮膚からニコチンの吸収を行わせるとともに、皮膚のうちでも最もかぶれにくい足裏からニコチンの吸収ができるようにしてアレルギー症状の発生をなくすことができる禁煙用靴下を提供する。  【解決手段】  シリコーンゴム２ａを基材とした母材にニコチン３を含有させた複数の粘弾性粒状体２を凸鋲形状に形成し、靴下１内側面の足裏部に固着している。【選択図】      図１
2005103113.tif 000002
【特許請求の範囲】
【請求項１】
シリコーンゴムを基材とした母材にニコチンを含有させた複数の粘弾性粒状体を、靴下内側面の足裏部に固着したこと
を特徴とする禁煙用靴下。
【請求項２】
前記粘弾性粒状体を、足裏の皮膚面と接触する凸鋲形状に形成した
請求項１記載の禁煙用靴下。
【請求項３】
前記粘弾性粒状体の母材に対するニコチンの配合比率および粘弾性粒状体の個数の少なくとも一方を段階的に増減した複数種類からなる
請求項１又は２記載の禁煙用靴下。
【請求項４】
既製の靴下を裏返しにした状態で、略楕円形状の薄板を靴下内の足裏部分に挿入し、金属板上に設けた複数の凹部に油液状ニコチンを均一に分散して含有させたシリコーンを充填し、この金属板を靴下の薄板挿入部上に前記凹部を内向けにして重ね合わせ、加圧すると同時に、１８０℃前後の温度で加熱して前記靴下内側の足裏部にシリコーンを架橋することにより凸状に固形化して固着し、さらに靴下の前記凸状シリコーンゴムに２００℃前後の熱風を当てて二次架橋することを特徴とする禁煙用靴下の製造方法。                                                                                
【発明の詳細な説明】
【技術分野】
【０００１】
本発明は、禁煙を円滑に実行できるようにするための禁煙用靴下とその製造方法に関するものである。
【背景技術】
【０００２】
禁煙を試みる場合、とくに長期間にわたり喫煙をしている者にとっては苦痛が伴う。これは、喫煙という「生活習慣」および「精神的依存」からの脱却が必要なうえ、禁煙により体内に溜まったニコチンの量が減少し、ニコチンを摂取しようと欲する、いわゆる「ニコチン中毒（依存症）」の状態になるからである。そこで、禁煙に有効な喫煙以外の方法によるニコチン摂取法に禁煙補助剤を使用する方法がある。この禁煙補助剤は、ニコチンを含浸させたパッチ方式の粘着剤を肌に貼り、禁煙中にニコチンを皮膚から体内に吸収して代替摂取するためのものである。このような禁煙補助剤を使用する禁煙方法では、ニコチンの摂取量を段階的に減量していきながら最終的にゼロにし、その間に禁煙の習慣をつけるものである。
【発明の開示】
【発明が解決しようとする課題】
【０００３】
しかしながら、上記の皮膚からニコチンを摂取する方法は粘着剤によって皮膚に貼るため、粘着基材に起因する皮膚のアレルギー症状を引き起こすおそれがある。また、肌に貼った状態で皮膚からの発汗作用によって肌から剥離、離脱するという課題がある。
【０００４】
この発明は上述の点に鑑みなされたもので、ニコチンを皮膚から体内に吸収させて禁煙を補助する、上記の禁煙方法において、皮膚との接触を粘着剤を用いず、自重（体重）下による常時接触作用で皮膚からニコチンの吸収を行わせるとともに、皮膚のうちでも最もかぶれにくい足裏からニコチンの吸収ができるようにしてアレルギー症状の発生をなくすことができる禁煙用靴下とその製造方法をすることを目的としている。
【課題を解決するための手段】
【０００５】
上記の目的を達成するために本発明に係る禁煙用靴下は、シリコーンゴムを基材とした母材にニコチンを含有させた複数の粘弾性粒状体を、靴下内側面の足裏部（位置）に固着したことを特徴とするものである。
【０００６】
このようにすれば、使用者が靴下を履いた状態で粘弾性粒状体が足裏面に常に接触するとともに、主に歩行時の体重移動により接触圧が強弱に変化したり、足裏面の粘弾性粒状体の接触位置が変化したりしてシリコーンゴム母材に含浸されているニコチンが内部より押し出されて皮膚から体内に吸収される。つまり、母材であるシリコーンゴムはニコチンとは基本的に溶解しない性状のため、体重移動の荷重履歴により、その都度ニコチンが内部より表面に押出され、皮膚から体内に取される。また、母材のシリコーンゴムは、人体適合性に優れているため、基材でのアレルギー発症の不都合も解消される。さらに、皮膚との接触が従来と違って粘着剤の粘着力でなされるのではなく、使用者の体重下で保たれるので、発汗しても外れる（非接触状態になる）ことがない。とくに、足の裏は他の皮膚部分よりカブレ難く、発刊作用も活発な箇所であるので、皮膚へのニコチン摂取位置としては最適である。
【０００７】
請求項２に記載のように、前記粘弾性粒状体を、足裏の皮膚面と接触する凸鋲形状に形成することが好ましい。
【０００８】
請求項２記載の禁煙用靴下によれば、粘弾性粒状体が凸鋲形状に形成されているから、足裏面に強く接触してニコチンが皮膚より体内に浸透しやすい。しかも、凸鋲形状にしたことで、足の裏面の各種ツボに接触させることにより、たとえば内蔵の機能を高めたりもする。
【０００９】
請求項３に記載のように、前記粘弾性粒状体の母材に対するニコチンの配合比率および粘弾性粒状体の個数の少なくとも一方を段階的に増減した複数種類の靴下を準備することが好ましい。
【００１０】
このようにすれば、禁煙開始から期間が経過するのにしたがってニコチンの含浸量を段階的に減少させることが可能で、禁煙をより効果的に実行できる。
【００１１】
請求項４に記載の禁煙用靴下の製造方法は、既製の靴下を裏返しにした状態で、略楕円形状の薄板を靴下内の足裏部分に挿入し、金属板上に設けた複数の凹部に油液状ニコチンを均一に分散して含有させたシリコーン液を充填し、この金属板を靴下の薄板挿入部上に前記凹部を内向けにして重ね合わせ、加圧すると同時に、１８０℃前後の温度で加熱して前記靴下内側の足裏部にシリコーン液を架橋することにより凸状に固形化して固着し、さらに靴下の前記凸状シリコーンゴムに２００℃前後の熱風を当てて二次架橋することを特徴とする。
【００１２】
上記の構成を有する請求項４記載の製造方法によれば、アルミ板などの金属板の凹部に充填された液状シリコーンは、靴下内側の布繊部に加圧下で浸透し加熱により架橋されるという履歴を経て、布繊部に食い込んで凸形状に形成され、確実にかつしっかりと固着される。このため、長期使用や洗濯等によって簡単に凸状のシリコーンゴムが外れたりしない。また２００℃前後の熱風を凸状のシリコーンゴムに当てて二次架橋を施しているので、残有する気化酸化物が分解除去され、皮膚との接触により人体に悪影響を及ぼすおそれがない。
【発明を実施するための最良の形態】
【００１３】
以下に、本発明に係る禁煙用靴下を実施するための形態を図面に基づいて説明する。
【００１４】
図１は本発明の禁煙用靴下の一実施例を示す平面図で、靴下を裏返しにし、略楕円形のアルミ板を足裏部分に挿入した状態を表している。図２は図１のＡ−Ａ線断面図である。図３は図２における一つの凸鋲形状の粘弾性粒状体２を拡大して示す正面図である。
【００１５】
本実施例の禁煙用靴下１は、図１・図２に示すように、裏面側で足裏部分に当たる位置の布織部１ａに、図３のようにニコチン３を含有するシリコーンゴム基材２ａからなる多数の凸鋲形状の粘弾性粒状体２を一定間隔で全体に分散させて固着している。すなわち、汗を吸収する部分は布織部１ａであり、足裏の皮膚がニコチン３を摂取する部分は粘弾性粒状体２の部分である。
【００１６】
本実施例の靴下１に用いる液状シリコーン２ｂは、布織部１ａの繊維とは基本的に界面接着が不可能な性状であるので、先ず、液状形態で繊維の隙間に滲み込ませ、架橋反応により固体化させることによって、繊維に根張り形（アンカー形）にて固着させる方法を採用している。この方法により、多数の凸鋲形状の粘弾性粒状体２が靴下１の布織部１ａにあたかも捺染された状態に固着される。
【００１７】
次に、上記実施例に係る禁煙用靴下１について液状シリコーン２ｂを布繊維部１ａに凸鋲形状に転写し固形化して固着する製造方法の工程を詳しく説明する。
【００１８】
１．図４に示すように、アルミ板５の適所に底部を断面円弧状にした凹部６を一定間隔をあけて多数形成し、金型とする。
【００１９】
２．液状シリコーン２ｂを金型であるアルミ板５上に垂らしたのち、捺染法で凹部６に充填する、つまり、図５に示すように液状シリコーン２ｂを捺染こて７により移動させながら凹部６に充填する。
【００２０】
３．一方、既製の靴下１’を裏返しにしたのち、図６に示すように厚みが１．５ｍｍ前後で両側を半円形状に形成した略楕円形状のアルミ薄板１０を靴下１’内の足裏部分に挿入する。靴下１’にアルミ薄板１０を挿入することにより、布織目の配列が整い、かつ皺が伸びるから、シリコーンゴム基材２ａの転写が正しい配置となり、正確に行われる。
【００２１】
４．図７に示すように、熱盤プレス機８の固定台８ａ上に金型としてのアルミ板５を載置し、このアルミ板５上にアルミ薄板１０を挿入した靴下１’を載置する。そして、上から熱盤９にて加圧（面圧２０ｋｇ/ｃｍ2）すると同時に、固定台８ａと熱盤９とを１８０℃程度に加熱した状態で約１８０秒間加熱する。
【００２２】
５．このようにして、アルミ板５の凹部６に充填された液状シリコーン２ｂは、靴下１’の布繊部１ａに加圧下で浸透し、加熱により固形化するという履歴を経て、布繊部１ａに食い込んで凸鋲形状に形成され、しっかりと固着される。
【００２３】
６．靴下１を熱盤プレス機８から取り外し、さらに、熱風（２００℃）を凸鋲形状のシリコーンゴム基材２ａに当てて二次架橋を実施することにより、残有する気化酸化物が分解除去され、禁煙用靴下１が完成する。
【実施例１】
【００２４】
シリコーンゴム基材２ａ
二液付加型シリコーンＡ（ＫＥ−２０００Ａ−４０：信越シリコーン株式会社）            
５０重量部
二液付加型シリコーンＢ（ＫＥ−２０００Ｂ−４０：信越シリコーン株式会社）            
５０重量部
合計                １００重量部
シリコーンゴム基材２ａの配合物                      １００重量部
ニコチン３                                    １０〜０．１重量部
ただし、ニコチン３については、Ｃ10Ｈ14Ｎ2で表される化学式をもち、合成によるラセミ体ニコチンを酒石酸にして分割されたｉ−スタキドリンおよびＬ−プロリンと共通の立体配置をもつものを使用する。こうした種類のニコチンの性状は、無色、油状の液体であり、２４７℃に加熱したときに空気中で褐色に変化する水溶性の液状ニコチンである。この油液状のニコチンを液状シリコーン２ｂに混合して撹拌することにより、極性値の違いから微細な球状粒子となってほぼ均等に分散する。また、水溶性であるので汗（生理水）に溶解し、皮膚から摂取されやすい。さらに、液状シリコーン２ｂを弾性体として固形化する架橋温度が２００℃と比較的低い温度であることから、ニコチン表面層の球状粒子が変質しにくい。
【００２５】
下記のように１３段階に含有量を減少させたものを準備した。矢印は減量段階の量を示す。
【００２６】
１０→９→8→７→６→５→４→３→２→1→０．５→０．３→０．１
重量部
シリコーンゴム基材２ａの配合物に対し上記１３種類のニコチン３をそれぞれ小型ミキサー（５リットル）に注入し、各々１０分間の撹拌を行い、ニコチン含有量の異なる１３種類のシリコーンゴム基材２ａを作製した。
【００２７】
上記に本発明の禁煙用靴下１について一実施例を示したが、たとえば、下記のように実施することができる。
【００２８】
上記のシリコーンゴム基材２ａには、ニコチンとともにたとえば唐辛子エキスを添加して冷え症防止を兼ねた靴下とするなど、多岐にわたる用途を兼ねた製品にすることもできる。ただし、添加する血管拡張剤などのエキス分などは液状シリコーン２ｂ（シリコーンゴム基材２ａ）に対して非溶解性の添加物を使用する。
【００２９】
使用者の歩行時における体重移動で破壊され、かつシリコーンゴム母材を架橋する成形時の熱履歴に耐えられるマイクロカプセルにニコチンを内包し、シリコーンゴム基材２ａに混入する。
【００３０】
本発明が適用される靴下には、上記した一般的な紳士用あるいは婦人用靴下のほか、短くて薄い生地のアンダーソックス、つま先を開放したサポータ式ソックス、足袋など、足裏に接触する面をもつ様々な形態からなるものが含まれる。
【００３１】
金型としてのアルミ板５にはアルミ以外の金属板を使用できることはもとより、凹部６の個数、位置、断面形状など適宜変更することができる。
【図面の簡単な説明】
【００３２】
【図１】本発明の禁煙用靴下の一実施例を示す平面図で、靴下を裏返しにし、略楕円形のアルミ板を足裏部分に挿入した状態を表している。
【図２】図１のＡ−Ａ線断面図である。
【図３】図２における一つの凸鋲形状の粘弾性粒状体２を拡大して示す正面図である。
【図４】液状シリコーンを凹部に充填するための金型の一種であるアルミ板５を拡大して示す断面図である。
【図５】アルミ板５の凹部に液状シリコーンを充填する作業を拡大して示す側面図である。
【図６】図６（ａ）は靴下挿入用のアルミ薄板１０を示す平面図、図６（ｂ）は図６（ａ）のＢ−Ｂ線断面図である。
【図７】熱盤プレス機８により靴下にシリコーン２ｂを固形化して固着させる状態を示す側面図である。
【符号の説明】
【００３３】
１  禁煙用靴下
１ａ布織部
２  粘弾性粒状体
２ａシリコーンゴム基材
２ｂ液状シリコーン
３  ニコチン
５  アルミ板
６  凹部
８  熱盤プレス機
８ａ固定台
９  熱盤
１０  アルミ薄板
【図１】
2005103113.tif 000003
【図２】
2005103113.tif 000004
【図３】
2005103113.tif 000005
【図４】
2005103113.tif 000006
【図５】
2005103113.tif 000007
【図６】
2005103113.tif 000008
【図７】
2005103113.tif 000009
【手続補正書】
【提出日】平成15年10月2日(2003.10.2)
【手続補正１】
【補正対象書類名】明細書
【補正対象項目名】０００６
【補正方法】変更
【補正の内容】
【０００６】
このようにすれば、使用者が靴下を履いた状態で粘弾性粒状体が足裏面に常に接触するとともに、主に歩行時の体重移動により接触圧が強弱に変化したり、足裏面の粘弾性粒状体の接触位置が変化したりしてシリコーンゴム母材に含浸されているニコチンが内部より押し出されて皮膚から体内に吸収される。つまり、母材であるシリコーンゴムはニコチンとは基本的に溶解しない性状のため、体重移動の荷重履歴により、その都度ニコチンが内部より表面に押出され、皮膚から体内に摂取される。また、母材のシリコーンゴムは、人体適合性に優れているため、基材でのアレルギー発症の不都合も解消される。さらに、皮膚との接触が従来と違って粘着剤の粘着力でなされるのではなく、使用者の体重下で保たれるので、発汗しても外れる（非接触状態になる）ことがない。とくに、足の裏は他の皮膚部分よりカブレ難く、発刊作用も活発な箇所であるので、皮膚へのニコチン摂取位置としては最適である。